(57)【要約】【課題】電力の有効活用を図ることが可能な集合住宅用電力供給システムを提供する。【解決手段】商用電源１００からの電力を共用部２ｂ及び専有部２ａへとそれぞれ分配する第一共用部分電盤１１と、共用部２ｂに設けられ、第一共用部分電盤１１からの電力を充放電可能な蓄電装置１４と、共用部２ｂに設けられ、第一共用部分電盤１１及び蓄電装置１４からの電力を交流電力から直流電力に変換して出力可能なＡＣ／ＤＣコンバータと、専有部２ａに設けられ、ＡＣ／ＤＣコンバータからの電力を取り出し可能な専有部コンセント１８及びＵＳＢコンセント２０と、を具備した。【選択図】図１
2016192829.tif 000002
【特許請求の範囲】
【請求項１】
商用電源からの電力を共用部及び専有部へとそれぞれ分配する電力分配部と、
前記共用部に設けられ、前記電力分配部からの電力を充放電可能な蓄電装置と、
前記共用部に設けられ、前記電力分配部及び前記蓄電装置からの電力を交流電力から直流電力に変換して出力可能な電力変換部と、
前記専有部に設けられ、前記電力変換部からの電力を取り出し可能な電力出力部と、
を具備する集合住宅用電力供給システム。
【請求項２】
前記電力分配部又は前記蓄電装置のいずれか一方からの電力のみを前記電力変換部へと供給可能とする切替部をさらに具備する、
請求項１に記載の集合住宅用電力供給システム。
【請求項３】
前記電力出力部は、
所定値以下の電力を取り出し可能とする、
請求項１又は請求項２に記載の集合住宅用電力供給システム。
【請求項４】
前記電力出力部は、
ＵＳＢ端子を接続可能なＵＳＢコンセントを含む、
請求項１から請求項３までのいずれか一項に記載の集合住宅用電力供給システム。
【請求項５】
前記専有部に設けられ、前記電力出力部に接続されるＬＥＤ照明機器をさらに具備する、
請求項１から請求項４までのいずれか一項に記載の集合住宅用電力供給システム。
【発明の詳細な説明】
【技術分野】
【０００１】
本発明は、共用部を有する集合住宅に設けられる集合住宅用電力供給システムの技術に関する。
【背景技術】
【０００２】
従来、共用部を有する集合住宅に設けられる集合住宅用電力供給システムの技術は公知となっている。例えば、特許文献１に記載の如くである。
【０００３】
特許文献１には、太陽光発電装置と、蓄電池と、太陽光発電装置や蓄電池からの電力を共用部（共有部）や専有部（各住居）に適宜分配する分電盤と、を具備する集合住宅用電力供給システムが記載されている。当該集合住宅用電力供給システムは、時間帯に応じて予め定められた優先順位に従って、共用部や専有部に電力を分配する。具体的には、電力の使用量が多い箇所（共用部や専有部）に、太陽光発電装置や蓄電池からの電力を優先して供給する。
【０００４】
このように構成することによって、太陽光発電装置で発電された電力を発電された場所（すなわち、当該集合住宅用電力供給システムが設けられた集合住宅）で最大限使用することができる。言い換えれば、電力会社へと売電される電力を抑制することができる。これによって、電力を売電する際の送電等による電力損失を抑制することができ、電力の有効活用を図ることができる。
【先行技術文献】
【特許文献】
【０００５】
【特許文献１】特開２０１２−２３９２６０号公報
【発明の概要】
【発明が解決しようとする課題】
【０００６】
しかしながら、特許文献１に記載の技術では、一旦電力を共用部と専有部に分配した後で、共用部へと分配された電力を専有部へと供給することはできない。このため、電力の有効活用を図る観点から、改善の余地があった。
【０００７】
本発明は以上の如き状況に鑑みてなされたものであり、その解決しようとする課題は、電力の有効活用を図ることが可能な集合住宅用電力供給システムを提供することである。
【課題を解決するための手段】
【０００８】
本発明の解決しようとする課題は以上の如くであり、次にこの課題を解決するための手段を説明する。
【０００９】
即ち、商用電源からの電力を共用部及び専有部へとそれぞれ分配する電力分配部と、前記共用部に設けられ、前記電力分配部からの電力を充放電可能な蓄電装置と、前記共用部に設けられ、前記電力分配部及び前記蓄電装置からの電力を交流電力から直流電力に変換して出力可能な電力変換部と、前記専有部に設けられ、前記電力変換部からの電力を取り出し可能な電力出力部と、を具備するものである。
【００１０】
前記電力分配部又は前記蓄電装置のいずれか一方からの電力のみを前記電力変換部へと供給可能とする切替部をさらに具備することとしてもよい。
このような構成により、共用部から専有部へと供給する電力の供給源を選択することができ、電力の有効活用を図ることができる。
【００１１】
前記電力出力部は、所定値以下の電力を取り出し可能とすることとしてもよい。
このような構成により、共用部の電力が過剰に専有部へと供給されるのを防止することができる。
【００１２】
前記電力出力部は、ＵＳＢ端子を接続可能なＵＳＢコンセントを含むものとしてもよい。
このような構成により、共用部の電力が過剰に専有部へと供給されるのを防止することができる。
【００１３】
前記専有部に設けられ、前記電力出力部に接続されるＬＥＤ照明機器をさらに具備することとしてもよい。
このような構成により、共用部の電力が過剰に専有部へと供給されるのを防止することができる。
【発明の効果】
【００１４】
電力の有効活用を図ることができる。
【図面の簡単な説明】
【００１５】
【図１】本発明の一実施形態に係る電力供給システムの全体的な構成を示した模式図。
【図２】電力供給制御盤の構成を示した模式図。
【図３】通常時において、電力供給制御盤を流通する電力の様子を示した模式図。
【図４】停電時において、電力供給制御盤を流通する電力の様子を示した模式図。
【発明を実施するための形態】
【００１６】
以下では、図１及び図２を用いて、本発明の一実施形態に係る電力供給システム１の構成について説明する。
【００１７】
図１に示す電力供給システム１は、マンション等の集合住宅２に設けられ、電力を適宜の機器へと供給するためのものである。集合住宅２は、住居や店舗等の専有部２ａと、その他の部分である共用部２ｂと、を具備する。電力供給システム１は、主として第一共用部分電盤１１、第二共用部分電盤１２、電力供給制御盤１３、蓄電装置１４、共用部照明器具１５、共用部コンセント１６、ＤＣ／ＤＣコンバータ１７、専有部コンセント１８、ＬＥＤダウンライト１９、ＵＳＢコンセント２０、専有部分電盤２１及び専有部電力負荷２２を具備する。
【００１８】
第一共用部分電盤１１は、商用電源１００から供給される電力を適宜分配するものである。第一共用部分電盤１１は、漏電遮断器及び配線遮断器等により構成される。第一共用部分電盤１１は、共用部２ｂに設けられる。
【００１９】
第二共用部分電盤１２は、第一共用部分電盤１１から供給される電力を適宜分配するものである。第二共用部分電盤１２は、漏電遮断器及び配線遮断器等により構成される。第二共用部分電盤１２は、共用部２ｂに設けられる。第二共用部分電盤１２は、配電線を介して第一共用部分電盤１１に接続される。
【００２０】
電力供給制御盤１３は、第二共用部分電盤１２及び後述する蓄電装置１４から供給される電力を適宜分配するものである。電力供給制御盤１３は、共用部２ｂに設けられる。電力供給制御盤１３は、配電線を介して第二共用部分電盤１２及び蓄電装置１４等に接続される。電力供給制御盤１３の詳細な構成については後述する。
【００２１】
蓄電装置１４は、電力の充放電が可能なものである。蓄電装置１４は、リチウムイオン電池等の蓄電池や当該蓄電装置１４の動作を制御する制御部等により構成される。当該蓄電装置１４の制御部は、図示せぬセンサを介して商用電源１００の停電の発生を検出することができる。蓄電装置１４は、配電線を介して電力供給制御盤１３に接続される。
【００２２】
共用部照明器具１５は、電力を消費して光を照射するもの（電力負荷）である。共用部照明器具１５は、共用部２ｂの適宜の場所に配置される。共用部照明器具１５は、図示せぬコンセント及び配電線を介して電力供給制御盤１３に接続される。
【００２３】
共用部コンセント１６は、電力を取り出し可能な接続器（電力出力部）である。共用部コンセント１６は、共用部２ｂの適宜の場所に配置される。共用部コンセント１６は、配電線を介して電力供給制御盤１３に接続される。
【００２４】
ＤＣ／ＤＣコンバータ１７は、直流電力の電圧を適宜の電圧に変換するものである。ＤＣ／ＤＣコンバータ１７は、共用部２ｂに設けられる。ＤＣ／ＤＣコンバータ１７は、配電線を介して電力供給制御盤１３に接続される。
なお、図１においては一例としてＤＣ／ＤＣコンバータ１７を２つ図示しているが、その個数は限定するものではない。
【００２５】
専有部コンセント１８は、電力を取り出し可能な接続器である。専有部コンセント１８は、専有部２ａの適宜の場所に配置される。本実施形態においては、専有部コンセント１８は、各住居の天井部に設けられる。専有部コンセント１８は、所定値以下の電力を取り出し可能に設定される。具体的には、本実施形態に係る専有部コンセント１８は、１６（Ｗ）以下の電力を取り出し（出力）可能となるように設定される。専有部コンセント１８は、配電線を介してＤＣ／ＤＣコンバータ１７に接続される。
【００２６】
ＬＥＤダウンライト１９は、ＬＥＤ（発光ダイオード）を用いて、電力を消費して光を照射するもの（電力負荷）である。ＬＥＤダウンライト１９は、専有部２ａの適宜の場所に配置される。本実施形態においては、ＬＥＤダウンライト１９は、各住居の天井部（専有部コンセント１８の近傍）設けられる。ＬＥＤダウンライト１９は、専有部コンセント１８に接続される。
【００２７】
ＵＳＢコンセント２０は、ＵＳＢ端子を接続することで電力を取り出し可能な接続器である。ＵＳＢコンセント２０は、専有部２ａの適宜の場所（各住居等）に配置される。ＵＳＢコンセント２０は、所定値以下の電力を取り出し可能に設定される。具体的には、本実施形態に係るＵＳＢコンセント２０は、１６（Ｗ）以下の電力を取り出し（出力）可能となるように設定される。ＵＳＢコンセント２０は、配電線を介してＤＣ／ＤＣコンバータ１７に接続される。
【００２８】
専有部分電盤２１は、第一共用部分電盤１１から供給される電力を適宜分配するものである。専有部分電盤２１は、漏電遮断器及び配線遮断器等により構成される。専有部分電盤２１は、専有部２ａの適宜の場所（各住居等）に配置される。専有部分電盤２１は、配電線を介して第一共用部分電盤１１に接続される。
【００２９】
専有部電力負荷２２は、電力を消費して運転する電化製品等（電力負荷）である。例えば、専有部電力負荷２２には、照明、テレビ、冷蔵庫等が含まれる。専有部電力負荷２２は、専有部２ａの適宜の場所（各住居等）に配置される。専有部電力負荷２２は、配電線を介して専有部分電盤２１に接続される。
【００３０】
以下では、図２を用いて、電力供給制御盤１３の構成について説明する。
【００３１】
電力供給制御盤１３は、配電線を介して、第二共用部分電盤１２、蓄電装置１４、共用部照明器具１５、共用部コンセント１６及びＤＣ／ＤＣコンバータ１７を適宜接続している。電力供給制御盤１３は、主として入力側ブレーカー３１、電力センサ３２、切替ユニット３３、自立出力側ブレーカー３４、分岐ブレーカー３５、ＡＣ／ＤＣコンバータ３６及びリモコン装置３７等を具備する。
【００３２】
入力側ブレーカー３１は、第二共用部分電盤１２と蓄電装置１４とを接続する配電線（第二共用部分電盤１２から蓄電装置１４へと電力を供給する配電線）に設けられる遮断器である。入力側ブレーカー３１は、異常発生時に第二共用部分電盤１２から蓄電装置１４への電力の供給を遮断することができる。
【００３３】
電力センサ３２は、第二共用部分電盤１２と蓄電装置１４とを接続する配電線（入力側ブレーカー３１のすぐ上流側）に設けられる。電力センサ３２は、蓄電装置１４へと供給される電力を検出することができる。電力センサ３２は、蓄電装置１４の制御部に接続される。当該電力センサ３２による検出結果は、蓄電装置１４の動作（充放電等）の制御に用いられる。
【００３４】
切替ユニット３３は、電力の供給経路を切り替えるものである。切替ユニット３３は、配電線を介して第二共用部分電盤１２及び蓄電装置１４とそれぞれ接続される。また切替ユニット３３は、配電線を介して共用部照明器具１５及び共用部コンセント１６、並びに後述するＡＣ／ＤＣコンバータ３６とそれぞれ接続される。以下では説明の便宜上、切替ユニット３３が接続される共用部照明器具１５、共用部コンセント１６及びＡＣ／ＤＣコンバータ３６を、単に「ＡＣ／ＤＣコンバータ３６等」と称する。
【００３５】
切替ユニット３３は、第二共用部分電盤１２とＡＣ／ＤＣコンバータ３６等とを接続する状態（蓄電装置１４とＡＣ／ＤＣコンバータ３６等とを接続しない状態、以下単に「第一切替状態」と称する）、又は蓄電装置１４とＡＣ／ＤＣコンバータ３６等とを接続する状態（第二共用部分電盤１２とＡＣ／ＤＣコンバータ３６等とを接続しない状態、以下単に「第二切替状態」と称する）に切り替えることができる。切替ユニット３３は、蓄電装置１４の制御部によって、第一切替状態又は第二切替状態のいずれか一方に切り替えられる。
【００３６】
自立出力側ブレーカー３４は、蓄電装置１４と切替ユニット３３とを接続する配電線（蓄電装置１４から切替ユニット３３へと電力を供給する配電線）に設けられる遮断器である。自立出力側ブレーカー３４は、異常発生時に蓄電装置１４から切替ユニット３３への電力の供給を遮断することができる。
【００３７】
分岐ブレーカー３５は、切替ユニット３３とＡＣ／ＤＣコンバータ３６等とを接続する配電線（切替ユニット３３からＡＣ／ＤＣコンバータ３６等へと電力を供給する配電線）に設けられる遮断器である。分岐ブレーカー３５は、異常発生時に切替ユニット３３からＡＣ／ＤＣコンバータ３６等への電力の供給を個別に遮断することができる。
【００３８】
ＡＣ／ＤＣコンバータ３６は、交流電力を直流電力に適宜変換するものである。ＡＣ／ＤＣコンバータ３６は、ＤＣ／ＤＣコンバータ１７に対応した個数（図２においては、２つ）設けられる。ＡＣ／ＤＣコンバータ３６は、配電線を介して対応するＤＣ／ＤＣコンバータ１７に接続される。
【００３９】
リモコン装置３７は、蓄電装置１４の制御条件等を変更するための操作を行うものである。リモコン装置３７は、各種操作ボタン及び液晶表示部等により構成される。リモコン装置３７は、蓄電装置１４と有線（又は無線）によって接続される。
【００４０】
以下では、上述の如く構成された電力供給システム１において、電力が流通する様子について説明する。なお、以下では、商用電源１００が停電していない状態（以下、単に「通常時」と称する）と、商用電源１００が停電している状態（以下、単に「停電時」と称する）と、に分けて説明する。
【００４１】
まず、図１及び図３を用いて、通常時について説明する。通常時においては、切替ユニット３３は第一切替状態に切り替えられる。
【００４２】
通常時においては、商用電源１００からの電力は、第一共用部分電盤１１によって専有部２ａ側（専有部分電盤２１）と共用部２ｂ側（第二共用部分電盤１２）に分配される。第一共用部分電盤１１から専有部分電盤２１へと供給された電力は、専有部電力負荷２２へと供給される。各住居の居住者は、当該電力を用いて専有部電力負荷２２（照明等）を利用することができる。
【００４３】
また、第一共用部分電盤１１から第二共用部分電盤１２へと供給された電力は、電力供給制御盤１３へと供給される。当該電力は、切替ユニット３３及び分岐ブレーカー３５を介して共用部照明器具１５及び共用部コンセント１６へと供給される。このようにして、共用部２ｂにおいて商用電源１００からの電力を利用することができる。
【００４４】
また電力供給制御盤１３へと供給された電力は、切替ユニット３３、分岐ブレーカー３５、ＡＣ／ＤＣコンバータ３６及びＤＣ／ＤＣコンバータ１７を介してＬＥＤダウンライト１９（専有部コンセント１８）及びＵＳＢコンセント２０へと供給される。このように、第一共用部分電盤１１によって一旦電力を専有部２ａ及び共用部２ｂにそれぞれ分配した後に、共用部２ｂへと分配された電力をさらに専有部２ａへと供給することができる。これによって、一旦共用部２ｂに分配された電力を、専有部２ａにおいて有効活用することができる。例えば、共用部照明器具１５及び共用部コンセント１６では消費しきれない電力（余剰電力）を、専有部２ａにおいて使用することが可能となり、電力の有効活用を図ることができる。
【００４５】
この際、電力供給制御盤１３（ＡＣ／ＤＣコンバータ３６）を介して電力が供給される専有部コンセント１８及びＵＳＢコンセント２０から取り出すことができる電力は、所定値（１６（Ｗ））以下となるように設定されている。このため、電力供給制御盤１３から複数の住居（複数の専有部コンセント１８等）へと電力が過剰に供給されるのを防止することができる。
【００４６】
さらに、専有部コンセント１８に接続されたＬＥＤダウンライト１９は、白熱電球や蛍光灯等に比べて消費電力が小さい。このため、電力供給制御盤１３から複数の住居へと電力が過剰に供給されるのをより効果的に防止することができる。
【００４７】
またこの際、ＡＣ／ＤＣコンバータ３６において交流電力を直流電力に変換する際に損失が生じたとしても、当該ＡＣ／ＤＣコンバータ３６からの電力は、消費電力が比較的小さいＬＥＤダウンライト１９やＵＳＢコンセント２０へと供給される。このため、ＡＣ／ＤＣコンバータ３６における損失によって、ＬＥＤダウンライト１９やＵＳＢコンセント２０に供給される電力が不足する事態は発生し難い。
【００４８】
また電力供給制御盤１３へと供給された電力は、入力側ブレーカー３１を介して蓄電装置１４へと供給される。蓄電装置１４は、当該電力を適宜のタイミングで充電する。例えば、深夜電力等の比較的安価な電力を充電しておくことで、後に当該電力を有効活用することができる。
【００４９】
次に、図１及び図４を用いて、停電時について説明する。停電時においては、切替ユニット３３は第二切替状態に切り替えられる。
【００５０】
停電時においては、商用電源１００から第一共用部分電盤１１へと電力が供給されることはない。従って、当該第一共用部分電盤１１から専有部分電盤２１へと電力が供給されることはなく、当該専有部分電盤２１に接続された専有部電力負荷２２（照明等）は、利用することができない。同様に、停電時においては、第一共用部分電盤１１から第二共用部分電盤１２を介して電力供給制御盤１３へと電力が供給されることはない。
【００５１】
停電時においては、蓄電装置１４は放電（自立出力）を行う。具体的には、蓄電装置１４は、切替ユニット３３へと電力を供給する。当該電力は、分岐ブレーカー３５を介して共用部照明器具１５及び共用部コンセント１６へと供給される。このようにして、停電時には蓄電装置１４からの電力を利用して共用部照明器具１５を点灯させたり、共用部コンセント１６から当該電力を取り出したりすることができる。
【００５２】
また蓄電装置１４から切替ユニット３３へと供給された電力は、分岐ブレーカー３５、ＡＣ／ＤＣコンバータ３６及びＤＣ／ＤＣコンバータ１７を介してＬＥＤダウンライト１９及びＵＳＢコンセント２０へと供給される。このように、停電時においては、蓄電装置１４からの電力を専有部２ａへと供給することができる。これによって、各住居の居住者は、停電時においても電力を利用することができる。
【００５３】
また、停電時においても、通常時と同様に、電力供給制御盤１３から複数の住居（複数の専有部コンセント１８等）へと電力が過剰に供給されるのを防止することができる。これによって、特に停電時においては、蓄電装置１４に蓄えられた電力が急激に減少するのを防止することができ、ひいては複数の住居全てに確実に電力を分配することができる。
【００５４】
以上の如く、本実施形態に係る電力供給システム１（集合住宅用電力供給システム）は、
商用電源１００からの電力を共用部２ｂ及び専有部２ａへとそれぞれ分配する第一共用部分電盤１１（電力分配部）と、
共用部２ｂに設けられ、第一共用部分電盤１１からの電力を充放電可能な蓄電装置１４と、
共用部２ｂに設けられ、第一共用部分電盤１１及び蓄電装置１４からの電力を交流電力から直流電力に変換して出力可能なＡＣ／ＤＣコンバータ３６（電力変換部）と、
専有部２ａに設けられ、ＡＣ／ＤＣコンバータ３６からの電力を取り出し可能な専有部コンセント１８及びＵＳＢコンセント２０（電力出力部）と、
を具備するものである。
このように構成することにより、電力の有効活用を図ることができる。すなわち、一旦共用部２ｂに分配された電力を専有部２ａで利用可能とすることで、無駄のない電力の活用を図ることができる。
【００５５】
また、電力供給システム１は、
第一共用部分電盤１１又は蓄電装置１４のいずれか一方からの電力のみをＡＣ／ＤＣコンバータ３６へと供給可能とする切替ユニット３３（切替部）をさらに具備するものである。
このように構成することにより、共用部２ｂから専有部２ａへと供給する電力の供給源を選択することができ、電力の有効活用を図ることができる。例えば、通常時には第一共用部分電盤１１から専有部２ａへと電力を供給することで、蓄電装置１４に電力を蓄えると共に、停電時には蓄電装置１４から専有部２ａへと電力を供給することで、停電時であっても専有部２ａで電力を利用することができる。
【００５６】
また、専有部コンセント１８及びＵＳＢコンセント２０は、
所定値（１６（Ｗ））以下の電力を取り出し可能とするものである。
このように構成することにより、共用部２ｂの電力が過剰に専有部２ａへと供給されるのを防止することができる。
【００５７】
また、電力出力部は、
ＵＳＢ端子を接続可能なＵＳＢコンセント２０を含むものである。
このように構成することにより、共用部２ｂの電力が過剰に専有部２ａへと供給されるのを防止することができる。
【００５８】
また、電力供給システム１は、
専有部２ａに設けられ、専有部コンセント１８に接続されるＬＥＤダウンライト１９（ＬＥＤ照明機器）をさらに具備するものである。
このように構成することにより、共用部２ｂの電力が過剰に専有部２ａへと供給されるのを防止することができる。
【００５９】
なお、上記実施形態に係る電力供給システム１は、集合住宅用電力供給システムの実施の一形態である。
また、上記実施形態に係る第一共用部分電盤１１は、電力分配部の実施の一形態である。
また、上記実施形態に係るＡＣ／ＤＣコンバータ３６は、電力変換部の実施の一形態である。
また、上記実施形態に係る専有部コンセント１８及びＵＳＢコンセント２０は、電力出力部の実施の一形態である。
また、上記実施形態に係る切替ユニット３３は、切替部の実施の一形態である。
また、上記実施形態に係るＬＥＤダウンライト１９は、ＬＥＤ照明機器の実施の一形態である。
【００６０】
以上、本発明の実施形態を説明したが、本発明は上記構成に限定されるものではなく、特許請求の範囲に記載された発明の範囲内で種々の変更が可能である。
【００６１】
例えば、上記実施形態において、電力供給システム１は蓄電装置１４を具備するものとしたが、蓄電装置１４を具備しない構成とすることも可能である。また、電力供給システム１は、電力を発電可能な発電部（例えば、太陽光発電装置、燃料電池等）をさらに具備する構成とすることも可能である。
【００６２】
また、専有部２ａに設けられたＬＥＤダウンライト１９は例示であり、その他の電力負荷（電化製品等）を設けることも可能である。また、専有部２ａに設けられたＵＳＢコンセント２０は例示であり、電力を取り出し可能なその他の接続器を設けることも可能である。
【００６３】
また、共用部２ｂに設けられた共用部照明器具１５は例示であり、その他の電力負荷（電化製品等）を設けることも可能である。
【００６４】
また、上記実施形態においては、切替ユニット３３は蓄電装置１４の制御部によって第一切替状態又は第二切替状態に切り替えられるものとしたが、その他の制御装置によって切り替えられる構成とすることも可能である。また切替ユニット３３は、手動で切り替えられる構成とすることも可能である。
【００６５】
また、上記実施形態においては、専有部コンセント１８及びＵＳＢコンセント２０は、１６（Ｗ）以下の電力を取り出し（出力）可能となるように設定されるものとしたが、当該値は１６（Ｗ）に限らず任意に設定することが可能である。この場合、過剰に電力が消費されないように、ある程度小さい値に設定することが望ましい。
【００６６】
また、上記実施形態においては、停電時だけでなく通常時においても、電力供給制御盤１３からＬＥＤダウンライト１９やＵＳＢコンセント２０へと電力が供給可能であるものとしたが、例えば停電時にのみ（又は、通常時にのみ）当該ＬＥＤダウンライト１９等へと電力を供給可能とすることも可能である。
【符号の説明】
【００６７】
１    電力供給システム
２    集合住宅
２ａ  専有部
２ｂ  共用部
１１  第一共用部分電盤
１２  第二共用部分電盤
１３  電力供給制御盤
１４  蓄電装置
１７  ＤＣ／ＤＣコンバータ
１８  専有部コンセント
１９  ＬＥＤダウンライト
２０  ＵＳＢコンセント
２１  専有部分電盤
３３  切替ユニット
３６  ＡＣ／ＤＣコンバータ
【図１】
2016192829.tif 000003
【図２】
2016192829.tif 000004
【図３】
2016192829.tif 000005
【図４】
2016192829.tif 000006